(57)【要約】      （修正有）【課題】股間部における吸収性本体の出っ張りが目立ちにくい吸収性物品を提供する。【解決手段】吸収性コア１１Ａを有する吸収性物品であって、吸収性コア１１Ａは、左右方向の幅が吸収性コア１１Ａの前側上端よりも狭いくびれ部１１ＡＣを備えており、上下方向において、前後方向の中央ＦＬよりも前側におけるくびれ部１１ＡＣの長さは、前後方向の中央ＦＬよりも後側における前記くびれ部１１ＡＣの長さよりも長く、少なくともくびれ部１１ＡＣよりも左右方向の外側の部分が着色された着色領域６０を有し、着色領域６０の外縁のうち少なくとも一部は、くびれ部の輪郭１１ＡＣｅに沿っている。【選択図】図４
0003217272.tif 000002
【実用新案登録請求の範囲】
【請求項１】
互いに交差する上下方向と左右方向と前後方向とを有し、
吸収性コアを有する吸収性物品であって、
前記吸収性コアは、前記左右方向の幅が前記吸収性コアの前側上端よりも狭いくびれ部を備えており、
前記上下方向において、前記前後方向の中央よりも前側における前記くびれ部の長さは、前記前後方向の中央よりも後側における前記くびれ部の長さよりも長く、
少なくとも前記くびれ部よりも前記左右方向の外側の部分が着色された着色領域を有し、
前記着色領域の外縁のうち少なくとも一部は、前記くびれ部の輪郭に沿っている、ことを特徴とする吸収性物品。
【請求項２】
請求項１に記載の吸収性物品であって、
前記吸収性コアを備えた吸収性本体を有し、
前記吸収性本体の前記左右方向の両側には、前記上下方向に沿って伸縮可能な脚回り弾性部材が設けられており、
前記左右方向において、前記着色領域は、前記脚回り弾性部材よりも内側に位置している、ことを特徴とする吸収性物品。
【請求項３】
請求項１または２に記載の吸収性物品であって、
前側ベルト部を有し、
前記上下方向において、前記着色領域は、前記前側ベルト部と重複する部分を有している、ことを特徴とする吸収性物品。
【請求項４】
請求項１〜３のいずれか１項に記載の吸収性物品であって、
前記上下方向において、前記着色領域は、前記くびれ部の前側上端よりも下側に位置している、ことを特徴とする吸収性物品。
【請求項５】
請求項１〜４のいずれか１項に記載の吸収性物品であって、
前記着色領域は、前記前後方向の中央よりも前側に位置している、ことを特徴とする吸収性物品。
【請求項６】
請求項１〜５のいずれか１項に記載の吸収性物品であって、
前記左右方向において、前記着色領域の外側端は、前記吸収性コアの最も外側の端よりも外側に位置している、ことを特徴とする吸収性物品。
【請求項７】
請求項１〜６のいずれか１項に記載の吸収性物品であって、
前記上下方向の所定位置において、
前記吸収性コアの前記左右方向における幅が狭いほど、
前記着色領域の前記左右方向における幅が広い、
ことを特徴とする吸収性物品。
【請求項８】
請求項１〜７のいずれか１項に記載の吸収性物品であって、
前記左右方向において、一対の前記着色領域の内側端同士の間隔が最も狭くなる部分の長さは、前記吸収性コアの幅が最も狭くなる部分の長さの１／２よりも長い、ことを特徴とする吸収性物品。
【請求項９】
請求項１〜７のいずれか１項に記載の吸収性物品であって、
前記着色領域は、前記吸収性コアと重なる部分を有していない、ことを特徴とする吸収性物品。
【請求項１０】
請求項１〜９のいずれか１項に記載の吸収性物品であって、
前記着色領域の前記左右方向の両側に、前記上下方向に沿った脚回り図柄が設けられている、ことを特徴とする吸収性物品。
【請求項１１】
請求項１０に記載の吸収性物品であって、
前記上下方向において、前記脚回り図柄の長さは、前記着色領域の長さよりも長い、ことを特徴とする吸収性物品。
【請求項１２】
請求項１〜１１のいずれか１項に記載の吸収性物品であって、
前記着色領域は、単一の色で着色されている、ことを特徴とする吸収性物品。
【請求項１３】
請求項１〜１２のいずれか１項に記載の吸収性物品であって、
前記着色領域は、所定の色で全体が塗り潰されている、ことを特徴とする吸収性物品。
【請求項１４】
請求項１〜１３のいずれか１項に記載の吸収性物品であって、
前記前後方向の前側に、前側であることを指示する前側指示図柄を有し、
前記着色領域の平均の明度は、前記前側指示図柄の平均の明度よりも低い、ことを特徴とする吸収性物品。
【考案の詳細な説明】
【技術分野】
【０００１】
本考案は、吸収性物品に関する。
【背景技術】
【０００２】
吸収性物品として、使い捨ておむつが知られている。特許文献１には、前身頃外装体（前側ベルト部）と後身頃外装体（後側ベルト部）の間に吸収性本体が架橋され、前身頃外装体と後身頃外装体の幅方向両側縁が互いに接合され、胴回り開口部及び脚回り開口部が形成されたパンツ型の使い捨ておむつが開示されている。そして、胴回り開口部や脚回り開口部に沿って伸縮可能な弾性部材が設けられており、当該弾性部材が発現する伸縮性によって着用者の身体（胴回りや脚回り）に使い捨ておむつをフィットさせることができる。
【先行技術文献】
【特許文献】
【０００３】
【特許文献１】特開２０１５−９２９４７号
【考案の概要】
【考案が解決しようとする課題】
【０００４】
一般的な使い捨ておむつは、主に不織布等の柔軟な素材で構成されているため、胴回り開口部や脚回り開口部以外で弾性部材による伸縮性が作用していない部位は、着用時において着用者の肌と密着していない場合がある。特に、吸収性本体は剛性の高い吸収性コアを備えていることから、吸収性コア以外の部分との剛性差に基づいて、おむつ着用時において着用者の股間部に密着することなく、股下から非肌側に出っ張った状態となりやすい。そして、そのような出っ張りを視認した使用者は、おむつのフィット性が悪く、サイズが合っていないように感じるおそれがある。
【０００５】
本考案は、上記のような従来の問題に鑑みてなされたものであって、その目的は、股間部における吸収性本体の出っ張りが目立ちにくい吸収性物品を提供することにある。
【課題を解決するための手段】
【０００６】
上記目的を達成するための主たる考案は、互いに交差する上下方向と左右方向と前後方向とを有し、吸収性コアを有する吸収性物品であって、前記吸収性コアは、前記左右方向の幅が前記吸収性コアの前側上端よりも狭いくびれ部を備えており、前記上下方向において、前記前後方向の中央よりも前側における前記くびれ部の長さは、前記前後方向の中央よりも後側における前記くびれ部の長さよりも長く、少なくとも前記くびれ部よりも前記左右方向の外側の部分が着色された着色領域を有し、前記着色領域の外縁のうち少なくとも一部は、前記くびれ部の輪郭に沿っている、ことを特徴とする吸収性物品。
である。
本考案の他の特徴については、本明細書及び添付図面の記載により明らかにする。
【考案の効果】
【０００７】
本考案によれば、背側胴回り域において吸収体の幅が狭く見えてしまうことを抑制可能なパンツ型吸収性物品を提供することができる。
【図面の簡単な説明】
【０００８】
【図１】パンツ型使い捨ておむつ１の概略斜視図である。
【図２】展開かつ伸長状態のおむつ１の平面図である。
【図３】吸収性本体１０の基本的な構成について説明する平面図及び断面図である。
【図４】吸収性本体１０に設けられた着色領域６０について説明する概略平面図である。
【図５】着色領域６０が設けられていないおむつ２（比較例）を乳幼児に着用させた状態について表す図である。
【図６】本実施形態のおむつ１を乳幼児に着用させた状態について表す図である。
【図７】着色領域６０の変形例について説明する概略平面図である。
【図８】おむつ１のバックシート１３を構成するバックフィルム１３ａの一例について表す概略平面図である。
【０００９】
本明細書及び添付図面の記載により、少なくとも以下の事項が明らかとなる。
互いに交差する上下方向と左右方向と前後方向とを有し、吸収性コアを有する吸収性物品であって、前記吸収性コアは、前記左右方向の幅が前記吸収性コアの前側上端よりも狭いくびれ部を備えており、前記上下方向において、前記前後方向の中央よりも前側における前記くびれ部の長さは、前記前後方向の中央よりも後側における前記くびれ部の長さよりも長く、少なくとも前記くびれ部よりも前記左右方向の外側の部分が着色された着色領域を有し、前記着色領域の外縁のうち少なくとも一部は、前記くびれ部の輪郭に沿っている、ことを特徴とする吸収性物。
【００１０】
このような吸収性物品によれば、着用時に、股下部から非肌側に出っ張った吸収性コア（吸収性本体）において、くびれ部の左右方向両側に設けられた着色領域が影（シャドー）として機能することにより、使用者は吸収性コアの奥行きを感じにくくなる。これにより、股間部における吸収性本体の出っ張りが目立ちにくくなる。
【００１１】
かかる吸収性物品であって、前記吸収性コアを備えた吸収性本体を有し、前記吸収性本体の前記左右方向の両側には、前記上下方向に沿って伸縮可能な脚回り弾性部材が設けられており、前記左右方向において、前記着色領域は、前記脚回り弾性部材よりも内側に位置している、ことが望ましい。
【００１２】
このような吸収性物品によれば、着用時において、脚回り弾性部材の伸縮性が作用している領域よりも左右方向の内側の領域が非肌側に張り出すように変形した場合であっても、当該領域に着色領域を設けておくことで、非肌側へ張り出した部分を目立ちにくくすることができる。
【００１３】
かかる吸収性物品であって、前側ベルト部を有し、前記上下方向において、前記着色領域は、前記前側ベルト部と重複する部分を有している、ことが望ましい。
【００１４】
このような吸収性物品によれば、着用時において、前側ベルト部が左右方向に収縮すると、吸収性本体と前側ベルト部とが重複する部分において吸収性コアの左右方向両側の領域が非肌側に大きく飛び出すため、該重複する領域に着色領域を設けることで、非肌側への出っ張りを目立ちにくくすることができる。
【００１５】
かかる吸収性物品であって、前記上下方向において、前記着色領域は、前記くびれ部の前側上端よりも下側に位置している、ことが望ましい。
【００１６】
このような吸収性物品によれば、くびれ部よりも外側の低剛性領域が非肌側に出っ張りやすくなっているため、くびれ開始位置よりも下側に着色領域を設けることによって、該低剛性領域が非肌側へ出っ張るのをより目立ちにくくすることができる。
【００１７】
かかる吸収性物品であって、前記着色領域は、前記前後方向の中央よりも前側に位置している、ことが望ましい。
【００１８】
このような吸収性物品によれば、前側の領域においては、吸収性コアのうち着色領域によって挟まれている部分の幅が細く見えるようになり、使用者にすっきりとした印象を生じさせることができる。一方、後側の領域においては、着色領域が設けられていないことから、吸収性コアの幅が広く見え、排泄物の漏れが生じにくい等の安心感を使用者に与えることができる。
【００１９】
かかる吸収性物品であって、前記左右方向において、前記着色領域の外側端は、前記吸収性コアの最も外側の端よりも外側に位置している、ことが望ましい。
【００２０】
このような吸収性物品によれば、吸収性コアの左右方向の最も外側の端は、着用時に吸収性本体が折れ曲がり変形を生じる起点となる位置である。したがって、当該折れ曲がりの起点を跨ぐように着色領域が設けられていることにより、吸収性本体の折れ曲がり位置が認識されにくくなり、吸収性本体の出っ張りをより目立ちにくくすることができる。
【００２１】
かかる吸収性物品であって、前記上下方向の所定位置において、前記吸収性コアの前記左右方向における幅が狭いほど、前記着色領域の前記左右方向における幅が広い、ことが望ましい。
【００２２】
このような吸収性物品によれば、上下方向の所定位置で吸収性コアの左右方向の幅が狭くなっている部分の両外側では、その分、剛性の低い部分の幅が広くなっている。そこで、その低剛性部分に配置される着色領域の左右方向の幅を広くすることにより、吸収性本体の出っ張りをより目立ちにくくすることができる。
【００２３】
かかる吸収性物品であって、前記左右方向において、一対の前記着色領域の内側端同士の間隔が最も狭くなる部分の長さは、前記吸収性コアの幅が最も狭くなる部分の長さの１／２よりも長い、ことが望ましい。
【００２４】
このような吸収性物品によれば、着色領域の間隔がある程度の大きさを有していることにより、左右の着色領域が繋がって形成されているように見えたり、左右方向の全体に亘って均一な色に見えたりすることが抑制される。これにより、着色領域が影として機能しやすくなり、吸収性本体の出っ張りをより目立ちにくくすることができる。
【００２５】
かかる吸収性物品であって、前記着色領域は、前記吸収性コアと重なる部分を有していない、ことが望ましい。
【００２６】
このような吸収性物品によれば、着色領域の輪郭（内側端）が吸収性コアによって隠れてしまうことがないため、色の異なる領域の存在が視認されやすくなり、吸収性物の着用時において、吸収性本体の出っ張りを目立ちにくくすることができる。
【００２７】
かかる吸収性物品であって、前記着色領域の前記左右方向の両側に、前記上下方向に沿った脚回り図柄が設けられている、ことが望ましい。
【００２８】
このような吸収性物品によれば、着用時に、使用者の注意が脚回り図柄に向きやすくなる。したがって、股間部における吸収性本体の出っ張りが目立ちにくくなる。また、脚回り図柄の状態を視認することにより、脚回り開口部が脚繰り部にフィットしているか否かを確認することができるため、使用者に安心感を与えることができる。
【００２９】
かかる吸収性物品であって、前記上下方向において、前記脚回り図柄の長さは、前記着色領域の長さよりも長い、ことが望ましい。
【００３０】
このような吸収性物品によれば、着用時において、脚回り図柄が着用者の脚繰りに沿って広い範囲に亘って配置されるようになり、脚回り開口部のフィット性がより強調される。したがって、股間部における吸収性本体の出っ張りをより目立ちにくくすることができる。
【００３１】
かかる吸収性物品であって、前記着色領域は、単一の色で着色されている、ことが望ましい。
【００３２】
このような吸収性物品によれば、１種類の色のみで着色されていることにより、着色領域自体が目立ちにくくなり、影（シャドー）として機能しやすくなる。これにより、股間部における吸収性本体の出っ張りをより目立ちにくくすることができる。
【００３３】
かかる吸収性物品であって、前記着色領域は、所定の色で全体が塗り潰されている、ことが望ましい。
【００３４】
このような吸収性物品によれば、単に全体が塗り潰されただけの領域であることによって、着色領域が図柄として認識されにくいため、影（シャドー）として機能しやすくなる。したがって、股間部における吸収性本体の出っ張りをより目立ちにくくすることができる。
【００３５】
かかる吸収性物品であって、前記前後方向の前側に、前側であることを指示する前側指示図柄を有し、前記着色領域の平均の明度は、前記前側指示図柄の平均の明度よりも低い、ことが望ましい。
【００３６】
このような吸収性物品によれば、前側指示図柄は、なるべく明度を高くして視認しやすくしておくことにより、使用者が一見して前後を確認することができるようになる。一方、着色領域は、影（シャドー）としての機能のみを発揮できれば良いため、なるべく明度を低くすることによって、使用者に視認されにくくすることができる。したがって、股間部における吸収性本体の出っ張りを目立ちにくくすることができる。
【００３７】
＝＝＝実施形態＝＝＝
本実施形態に係る吸収性物品として、乳幼児用のパンツ型使い捨ておむつを例に挙げて説明する。但し、吸収性物品は、乳幼児用の使い捨ておむつに限らず、大人用の使い捨ておむつや、生理用ショーツ等でも良い。
【００３８】
＜パンツ型使い捨ておむつ１の構成＞
図１は、パンツ型使い捨ておむつ１（以下、単に「おむつ１」とも呼ぶ）の概略斜視図である。図２は、展開かつ伸長状態のおむつ１の平面図である。図３は、吸収性本体１０の基本的な構成について説明する平面図及び断面図である。
【００３９】
おむつ１は、図１に示すパンツ型状態において、互いに交差する上下方向、左右方向、及び前後方向を有し、胴回り開口部ＢＨ、及び、一対の脚回り開口部ＬＨが形成されている。上下方向において、胴回り開口部ＢＨ側を上側とし、股下側を下側とする。また、図３の断面図に示すように、おむつ１を構成する資材が積層された方向を厚さ方向と言い、厚さ方向において着用者の身体（肌）と接触する側を肌側と言い、着用者の身体（肌）と接触しない側を非肌側と言う。
【００４０】
また、おむつ１の「伸長状態」とは、おむつ１が備える各弾性部材（例えば、後述する脚回り弾性部材１７や胴回り弾性部材２３，３３等）を伸長させることにより、おむつ１全体（製品全体）を皺なく伸長させた状態、具体的には、おむつ１を構成する各部材（例えば、後述する吸収性本体１０や，ベルト部２０，３０等）の寸法がその部材単体の寸法と一致又はそれに近い寸法になるまで伸長させた状態のことを言う。
【００４１】
おむつ１は、平面視長方形状の３部材である、吸収性本体１０、前側ベルト部２０、及び、後側ベルト部３０を有する。前側ベルト部２０（腹側胴回り部）は着用者の腹側部に当てられ、後側ベルト部３０（背側胴回り部）は着用者の背側部に当てられる。
【００４２】
図２に示す展開状態のおむつ１において、前側ベルト部２０及び後側ベルト部３０は、それらの長手方向がおむつ１の左右方向に沿うように配置されている。そして、左右方向における前側ベルト部２０の中央部に、吸収性本体１０の長手方向一方側（前側）の端部が配置され、左右方向における後側ベルト部３０の中央部に、吸収性本体１０の長手方向他方側（後側）の端部が配置されている。
【００４３】
図２に示す展開状態のおむつ１において、吸収性本体１０の長手方向がおむつ１の上下方向に沿うように、吸収性本体１０が長手方向の所定位置ＦＬにて二つ折りされ、前側ベルト部２０と後側ベルト部３０とが左右方向の両端部にて、熱溶着や超音波溶着等の接合手段を用いて接合され、一対の接合領域４０が形成される。これにより、おむつ１は、胴回り開口部ＢＨ及び一対の脚回り開口部ＬＨを有するパンツ型状態（図１参照）となる。なお、所定位置ＦＬは、パンツ型状態のおむつ１においては、上下方向の下端であって、前後方向の中央となる位置である。
【００４４】
吸収性本体１０は、図３に示すように、吸収体１１と、吸収体１１よりも肌側に配置された液透過性のトップシート１２と、吸収体１１よりも非肌側に配置され、吸収性本体１０の外装をなすバックシート１３と、を備えている。また、吸収体１１の左右方向の両側には、一対の防漏壁部５０が設けられている。
【００４５】
吸収体１１は、尿等の排泄液を吸収して保持する吸収性コア１１Ａと、吸収性コア１１Ａを覆う液透過性のコアラップシート１１Ｂとを有する。吸収性コア１１Ａとしては、高吸収性ポリマー（ＳＡＰ）を含むパルプ等の液体吸収性繊維が所定の形状に成形されたものを例示できる。一方、コアラップシート１１Ｂとしては、例えばティッシュペーパーを例示できる。
【００４６】
本実施形態の吸収性コア１１Ａは、長手方向の前側端部と後側端部（上下方向における前側上端部と後側上端部）との間に、該前側端部及び後側端部と比較して左右方向における長さが短くなった（幅が狭くなった）くびれ部１１ＡＣを有しており、図３に示されるように平面視略砂時計型の形状となっている。このくびれ部１１ＡＣは、おむつ１の着用時において着用者の両脚に挟まれる部分であり、当該部分の左右方向における長さが短く（幅が狭く）なっていることにより、吸収性コア１１Ａが着用者の股間にフィットしやすくなる。
【００４７】
トップシート１２は、吸収体１１を肌側から覆うシート状の部材であり、例えば吸収体１１よりも大きい平面サイズの液透過性の不織布により形成される。
【００４８】
バックシート１３は、吸収体１１を非肌側から覆うシート状の部材であり、吸収体１１より大きい平面サイズのシート部材である。バックシート１３は、例えば、ポリエチレン又はポリプロピレン等の液不透過性の防漏シートであるバックフィルム１３ａと、バックフィルム１３ａの非肌側に設けられた不織布等の外装シート１３ｂとからなる二層構造のシート部材である。また、バックシート１３には、吸収性コア１１Ａを挟みこむように左右方向両側の所定の領域が着色された一対の着色領域６０が設けられている。着色領域６０の詳細については、後で説明する。
【００４９】
外装シート１３ｂは、左右方向において吸収体１１の両側の端１１ｅｓ，１１ｅｓから外側に大きく延出した延出部１３ｂｆを有している。この延出部１３ｂｆが、吸収性本体１０の左右方向両側の端１０ｅｓ，１０ｅｓを折り返し位置として左右方向の内側かつ厚さ方向の肌側に折り返され、厚さ方向に重ね合わされることによってサイドフラップＳＦが形成されている。サイドフラップＳＦでは、厚さ方向に折り重ねられた外装シート１３ｂｆ，１３ｂｆの間に、糸ゴム等の複数の脚回り弾性部材１７，１７…が、各々上下方向に伸長された状態で左右方向に所定の間隔を空けて固定されている。これにより、サイドフラップＳＦに対して、上下方向（吸収性本体１０の長手方向）に沿った伸縮性が付与される。そして、複数の脚回り弾性部材１７，１７が横方向に並んで配置されていることにより、サイドフラップＳＦは、図１のように吸収性本体１０の左右方向の両側から平面を維持しつつ左右方向の外側に張り出した形状となる。したがって、おむつ１の着用時において、サイドフラップＳＦが着用者の脚繰りに沿って面でフィットしやすくなり、脚回り開口部ＬＨから排泄物等が漏出することを抑制しやすくなる。
【００５０】
防漏壁部５０は、不織布等の柔軟なシート部材によって形成され、吸収体１１の左右方向の両側かつ厚さ方向の肌側に設けられている。おむつ１の着用時には、該防漏壁部５０が、吸収体１１の左右方向の両側から着用者の肌側に起立することにより、排泄物が吸収性本体１０の外側に漏出することを抑制する。
【００５１】
本実施形態の防漏壁部５０は、防漏壁シート５１及び、複数の防漏壁弾性部材５２を有している。防漏壁シート５１は、柔軟性を有する矩形状のシート部材であり、例えば不織布等によって構成されている。そして、吸収性本体１０の左右方向の両端部において、上下方向（吸収性本体１０の長手方向）に沿って接合され、図３に示されるように、左右方向の内側端５０ｉｓにて左右方向の外側に折り返されている。内側端５０ｉｓにて折り返され、厚さ方向に重ね合わされた防漏壁シート５１，５１の間には、糸ゴム等の複数の防漏壁弾性部材５２，５２…が、上下方向に伸長された状態で左右方向に所定の間隔を空けて固定されている。これにより、防漏壁部５０に対して、上下方向（長手方向）に沿った伸縮性が付与され、おむつ１の着用時においては、該伸縮性に基づいて防漏壁部５０の左右方向の内側端部（内側端５０ｉｓ）が着用者の肌側に起立する。
【００５２】
前側ベルト部２０及び後側ベルト部３０は、それぞれ、内層シート２１，３１と、内層シート２１，３１に積層された外層シート２２，３２と、複数の胴回り弾性部材２３，３３とを有する。
【００５３】
外層シート２２，３２は内層シート２１，３１よりも非肌側に配置されている。内層シート２１，３１及び外層シート２２，３２は吸収性本体１０よりも非肌側に配置されている。内層シート２１，３１及び外層シート２２，３２単体は、おむつ１の左右方向の伸縮性を実質的に有さない非伸縮性シートである。内層シート２１，３１及び外層シート２２，３２としては、ＳＭＳ不織布（スパンボンド・メルトブローン・スパンボンド不織布）、スパンボンド不織布、エアスルー不織布、プラスチックシート、開孔プラスチックシート及びそれらのラミネートシートなどを用いることができる。
【００５４】
複数の胴回り弾性部材２３，３３は、内層シート２１，３１と外層シート２２，３２の間において、上下方向に並んで配置されるとともに、左右方向に伸長した状態で固定されている。よって、前側ベルト部２０及び後側ベルト部３０は左右方向に伸縮し、着用者の胴回りにフィットする。胴回り弾性部材２３，３３としては、ゴムやスパンデックス等の胴回り弾性部材を例示できる。なお、おむつ１では、後側ベルト部３０に設けられる胴回り弾性部材３３（後側胴回り部材３３）は、前側ベルト部２０に設けられる胴回り弾性部材２３（前側胴回り部材２３）よりも伸長倍率が高く設定されている。したがって、後側ベルト部３０に作用する左右方向の収縮力が、前側ベルト部２０に作用する左右方向の収縮力よりも大きく、おむつ１は後側（背側）において左右方向に収縮しやすくなっている。
【００５５】
また、上下方向において吸収性コア１１Ａと重複する位置に配置された胴回り弾性部材２３，３３の一部は、左右方向の中央部において伸縮性を発現しない、若しくは他の領域よりも伸縮性が弱くなっている部分を有している。おむつ１では、前側ベルト部２０の左右方向中央部で幅Ｗ２３の範囲において胴回り弾性部材２３が切断されており、当該範囲では左右方向の伸縮力が作用しにくく、前側ベルト部２０が収縮しにくくなっている。同様に、後側ベルト部３０の左右方向中央部で幅Ｗ３３の範囲において胴回り弾性部材３３が切断されており、当該範囲では左右方向の伸縮力が作用しにくく、後側ベルト部３０が収縮しにくくなっている。
【００５６】
また、本実施形態の後側ベルト部３０では、上端部から下端部に亘って胴回り弾性部材３３が配置されている。一方、前側ベルト部２０の上端部には、胴回り弾性部材２３が配置されておらず、代わりに、左右方向に伸縮する伸縮性シート２４が配置されている。このように、前側ベルト部２０の上端部に胴回り弾性部材２３を配置せずに伸縮性シート２４を配置することで、前側ベルト部２０の上端部が着用者の身体（肌）に面で密着しやすくなる。これにより、局所的な締め付けが抑えられ、着用者の肌に伸縮部材の跡を残りにくくすることができる。特に、おむつ１の着用対象者として想定される乳幼児は、一般に、腹部がぽっこりと出た体型をしているため、本実施形態のように、前側ベルト部２０による腹部の局所的な締め付けを抑えることにより、着用時の不快感を生じにくくすることができる。
【００５７】
＜吸収性本体１０の詳細について＞
本実施形態の吸収性本体１０は、吸収性コア１１Ａのくびれ部１１ＡＣと、該くびれ部１１ＡＣの左右方向両側に設けられた一対の着色領域６０を有していることにより、おむつ１着用時に股間部において吸収性本体１０が非肌側に出っ張るのを目立ちにくくすることができる。以下、吸収性本体１０の特徴について説明する。
【００５８】
図４は、吸収性本体１０に設けられた着色領域６０について説明する概略平面図である。上述したように、おむつ１の吸収性コア１１Ａは、くびれ部１１ＡＣを備えており、くびれ部１１ＡＣにおける左右方向幅Ｗ１１ＡＣは、吸収性コア１１Ａの前側上端部における左右方向の幅Ｗ１１Ａｆよりも短くなっている。おむつ１では、このくびれ部１１ＡＣが、前側寄りに配置されている。すなわち、前後方向の所定位置ＦＬ（中央）よりも前側におけるくびれ部１１ＡＣの上下方向の長さＬ１１ＡＣｆは、前後方向の所定位置ＦＬ（中央）よりも後側におけるくびれ部１１ＡＣの上下方向の長さＬ１１ＡＣｂよりも長くなっている。
【００５９】
くびれ部１１ＡＣが前側寄りに配置されていることにより、おむつ１着用時において、着用者は前側に脚を動かしやすくなる。例えば、おむつ１の着用対象者として想定される乳幼児は、前側（腹側）に脚を曲げた姿勢で寝ていたり、ハイハイをする際に脚を前側に動かしたりする機会が多い。そのため、前側寄りにくびれ部１１ＡＣを設けておくことで、おむつ１の着用時において、吸収性コア１１Ａが乳幼児の鼠蹊部と干渉しにくくなり、不快感を生じさせにくくすることができる。
【００６０】
そして、おむつ１は、くびれ部１１ＡＣの左右方向の両側部が所定の色で着色された着色領域６０を有している。本実施形態の着色領域６０は、図４に示されるように、少なくともくびれ部１１ＡＣよりも左右方向の外側に所定の大きさの領域を有し、着色領域６０の外縁の少なくとも一部は、くびれ部１１ＡＣの輪郭に沿うように配置されている。図４では、着色領域６０の外縁を構成する左右方向の内側端６０ｅｉが、くびれ部１１ＡＣの輪郭１１ＡＣｅに沿っている。ここで、着色領域６０の外縁（内側端６０ｅｉ）がくびれ部１１ＡＣの輪郭１１ＡＣｅに「沿う」とは、輪郭１１ＡＣｅと外縁（内側端６０ｅｉ）との間の最短距離が所定の大きさ以下であることを言う。例えば、輪郭１１ＡＣｅと内側端６０ｅｉとの間の最短距離が１０ｍｍ以下である場合に、内側端６０ｅｉが輪郭１１ＡＣｅに「沿っている」ものとする。つまり、着色領域６０の内側端６０ｅｉは、くびれ部１１ＡＣの輪郭１１ＡＣｅよりも左右方向の外側に位置していても良いし、内側に位置していても良い。
【００６１】
本実施形態の着色領域６０は、バックシート１３のバックフィルム１３ａに印刷されている。図３で説明したように、バックフィルム１３ａは、外装シート１３ｂによって覆われており、おむつ１の着用時において着用者の肌や衣服と接触しない。また、バックフィルム１３ａは外装シート１３ｂを透かして非肌側から視認可能となっている。つまり、本実施形態の着色領域６０は、肌や衣服と接触することなく、また、外側（非肌側）から視認可能に形成されている。但し、非肌側から視認可能で、肌等と接触しないのであれば、外装シート１３ｂや吸収体１１のコアラップシート１１Ｂに着色領域６０が設けられるのであっても良い。
【００６２】
また、着色領域６０は後述する「影（シャドー）」としての機能を発揮するために、単色の目立ちにくい色で形成されていることが望ましい。例えば、青やグレー等で、なるべく明度が低い色であることが望ましい。
【００６３】
図５は、比較例として、着色領域６０が設けられていないおむつ２を乳幼児に着用させた状態について表す図である。図６は、本実施形態のおむつ１を乳幼児に着用させた状態について表す図である。なお、比較例のおむつ２は、着色領域６０が設けられていないこと以外は、本実施形態のおむつ１と同様の構成を有している。
【００６４】
比較例のおむつ２を乳幼児等に着用させた場合、図５に示されるように、股間部において吸収性本体１０が非肌側に出っ張った状態となる。これは、吸収性本体１０のうち、吸収性コア１１Ａは液体吸収性繊維が積層されているため剛性が高いのに対して、コアラップシート１１Ｂやバックシート１３は剛性の低い不織布等によって形成されており、両者の剛性差が大きいためである。具体的には、吸収性本体１０のうち剛性の低い部分が、剛性の高い吸収性コア１１Ａを左右方向両側から持ち上げるように変形し、図５のように吸収性コア１１Ａを非肌側に押し出すことによって、吸収性本体１０の全体が股間部から出っ張ったようになる。特に、くびれ部１１ＡＣの左右方向の両側では、剛性の低い不織布の面積が大きいため、吸収性コア１１Ａが大きく出っ張って見えやすい。
【００６５】
このように吸収性本体１０の股間部における出っ張りが目立つと、使用者（例えば乳幼児の保護者）に、おむつ１のフィット性が悪かったり、サイズが合っていなかったりというような不安を生じさせるおそれがある。また、股間部において吸収性本体１０がもたついて見えることにより、おむつ１（吸収体１１）が吸収限界に達し、これ以上尿等の排泄物を吸収することができない、といった誤解を生じさせるおそれがある。
【００６６】
これに対して、本実施形態のおおむつ１では、図６のように非肌側に持ち上げられた吸収性コア１１Ａのくびれ部１１ＡＣにおいて、左右方向両側に着色領域６０が設けられている。着色領域６０は明度の低いグレー等の目立ちにくい色であるため、左右方向において吸収性コア１１Ａのくびれ部ＡＣ両側に影（シャドー）が形成されているように見え、使用者は、吸収性コア１１Ａの奥行きを感じにくくなり、非肌側への出っ張りが目立ちにくくなる。つまり、所謂シェーディングによる小顔メイクのように、両側に予め影（シャドー）を設けることによって、吸収性本体１０の出っ張りを目立ちにくくすることができる。また、左右両側を着色領域６０に挟まれることによって、吸収性コア１１Ａ（くびれ部１１ＡＣ）の幅が細く見えるようになり、股間部がすっきりとした印象を使用者に感じさせることができる。
【００６７】
また、図４に示されるように、着色領域６０は、左右方向において、脚回り弾性部材１７よりも内側に配置されている。言い換えると、左右方向において、着色領域６０の外側端６０ｅｏが、脚回り弾性部材１７（複数ある場合は左右方向の最も内側に配置されている脚回り弾性部材１７）よりも内側に位置している。おむつ１の着用時には、サイドフラップＳＦ（バックシート１３）のうち脚回り弾性部材１７による伸縮性が作用している領域が、着用者の脚繰りに沿って面でフィットしており、脚回り弾性部材１７が配置されている部分よりも左右方向内側の領域は、非肌側に張り出すように変形する。したがって、脚回り弾性部材１７よりも左右方向の内側の領域に着色領域６０を設けることにより、非肌側に張り出す部分を目立ちにくくすることができる。
【００６８】
また、着色領域６０は、上下方向において前側ベルト部２０と重複する部分を有している。おむつ１では、吸収性本体１０の前側上端部かつ非肌側面に前側ベルト部２０が接合されている。そして、前側ベルト部２０は前側胴回り弾性部材２３が発現する伸縮性によって、左右方向に伸縮可能となっている。おむつ１を着用する際に前側ベルト部２０が左右方向に収縮すると、吸収性本体１０と前側ベルト部２０とが重複する部分において、脚回り弾性部材１７等が左右方向の内側に引っ張られ、吸収体１１よりも肌側に潜り込みやすくなる。そして、肌側への潜り込みが大きくなる分、吸収性コア１１Ａの左右方向両側の領域が非肌側に大きく飛び出しやすくなり、吸収性本体１０の出っ張りが目立ちやすくなる。そこで、前側ベルト部２０と重複する領域に着色領域６０を設けておくことにより、吸収性本体１０と前側ベルト部２０とが重複する領域の非肌側への出っ張りを目立ちにくくすることができる。
【００６９】
また、着色領域６０は、上下方向においてくびれ部１１ＡＣの前側上端１１ＡＣｆ（すなわち、前側におけるくびれ開始位置）よりも下側に配置されている。上述したように、おむつ１では、剛性の高い吸収性コア１１ＡＣのくびれ部１１ＡＣよりも外側の低剛性部分が非肌側に出っ張りやすい。つまり、くびれ部１１ＡＣの輪郭１１ＡＣｅよりも外側の領域が非肌側に出っ張りやすい。そこで、当該出っ張りやすい部分に着色領域６０を設けることにより、吸収性本体１０の出っ張りをより目立ちにくくすることができる。したがって、上下方向において、くびれ開始位置（前側上端１１ＡＣｆ）よりも下側に着色領域６０が設けられていることによって、吸収性本体１０の非肌側への出っ張りを目立ちにくくすることができる。
【００７０】
また、着色領域６０は、前後方向において中央（所定位置ＦＬ）よりも前側に配置されていることが望ましい。このような構成であれば、前側の領域においては、吸収性コア１１Ａの左右方向両側に着色領域６０が設けられていることから、吸収性コア１１Ａのうち該着色領域６０によって挟まれている部分の幅が細く見えるようになり、使用者にすっきりとした印象を生じさせることができる。一方、後側の領域においては、着色領域６０が設けられていないことから、吸収性コア１１Ａの幅が広く見え、着用者の臀部が吸収体１１によって広く覆われることにより、排泄物の漏れが生じにくいといった安心感を使用者に抱かせることができる。もちろん、着色領域６０が所定位置ＦＬと重なっていたり、着色領域６０の一部が所定位置ＦＬよりも後側に設けられていたりしても良い。
【００７１】
また、図４に示されるように、左右方向において、着色領域６０の外側端６０ｅｏは、吸収性コア１１Ａ（吸収体１１）の最も外側の端１１ｅｓよりも外側に位置していることが望ましい。吸収性コア１１Ａの左右方向の最も外側の端１１ｅｓ（すなわち、吸収性コア１１Ａの上端若しくは下端における左右方向の外側端）は、おむつ１の着用時に吸収性本体１０が非肌側に持ち上げられる際に、吸収性本体１０が折れ曲がり変形を生じる起点となりやすい位置である。したがって、当該折れ曲がりの起点を跨ぐように着色領域６０が設けられていることにより、吸収性本体１０の折れ曲がり位置が認識されにくくなり、吸収性本体１０の出っ張りをより目立ちにくくすることができる。
【００７２】
また、上下方向の所定位置において、吸収性コア１１Ａの左右方向の幅Ｗ１１Ａが狭い程、着色領域６０の左右方向の幅Ｗ６０が広くなっていることが望ましい。吸収性コア１１Ａの左右方向の幅Ｗ１１Ａが狭い部分では、その左右方向外側（両側）において剛性の低い部分の幅が広くなっている。そして、当該剛性の低い部分が大きく変形することにより、吸収性コア１１Ａの非肌側への出っ張りが大きくなる。そこで、吸収性コア１１Ａの左右方向の幅Ｗ１１Ａが狭くなる部分では、その左右方向両側において着色領域６０の左右方向の幅Ｗ６０を広くすることにより、吸収性コア１１Ａ（吸収性本体１０）の出っ張りを目立ちにくくすることができる。
【００７３】
また、着色領域６０は以下のように変形しても良い。図７は、着色領域６０の変形例について説明する概略平面図である。図７の例では、着色領域６０の左右方向の内側端６０ｅｉが、くびれ部１１ＡＣの輪郭１１ＡＣｅに沿いつつ、輪郭１１ＡＣｅよりも左右方向の内側に配置されている。また、左右方向において、着色領域６０の内側端６０ｅｉと外側端６０ｅｏとの間の幅Ｗ６０がほぼ一定となるように着色領域６０が配置されている。着色領域６０がこのような配置であっても、上述したように、おむつ１の着用時に股下部において吸収性本体１０が非肌側に出っ張るのを目立ちにくくすることが可能である。
【００７４】
なお、図７の例では、着色領域６０の左右方向の内側端部が吸収性コア１１ＡＣと重複するように配置されている。したがって、左右方向において、一対の着色領域６０，６０の内側端６０ｅｉ同士の間隔Ｗ６０ｅｉは、吸収性コア１１Ａの幅Ｗ１１Ａよりも短くなる。このような場合に、左右方向において、一対の着色領域６０，６０の内側端６０ｅｉ同士の間隔が最も狭くなっている部分の間隔Ｗ６０ｅｉ（ｍｉｎ）が、吸収性コア１１Ａの幅が最も狭くなっている部分の幅Ｗ１１Ａ（ｍｉｎ）の１／２よりも大きいことが望ましい（Ｗ６０ｅｉ（ｍｉｎ）＞０．５×Ｗ１１Ａ（ｍｉｎ））。
【００７５】
着色領域６０，６０の最小の間隔Ｗ６０ｅｉ（ｍｉｎ）が狭いと、左右の着色領域６０，６０が繋がって連続的に形成されているように見えたり、吸収性コア１１Ａの左右方向（幅方向）の全体に亘って着色領域６０の色や濃度が均一に見えたりする場合がある。このような場合、着色領域６０がくびれ部１１ＡＣの両側に設けられた影（シャドー）として認識されなくなるおそれがある。したがって、着色領域６０，６０の間隔Ｗ６０ｅｉ（ｍｉｎ）はある程度の広さを有していることが必要である。本実施形態では、着色領域６０，６０の間隔Ｗ６０ｅｉ（ｍｉｎ）が、吸収性コア１１Ａの最小幅Ｗ１１Ａ（ｍｉｎ）の１／２よりも大きくなるようにすることで、着色領域６０が、吸収性コア１１Ａの左右両側に設けられた一対の領域であることを認識させやすくしている。これにより、着色領域６０が影としての機能を発揮しやすくしている。なお、本実施形態では、着色領域６０，６０の最小間隔Ｗ６０ｅｉ（ｍｉｎ）を４５ｍｍ程度としている。着用対象者である乳幼児の股間部の幅の平均が４５ｍｍ程度であるため、間隔Ｗ６０ｅｉ（ｍｉｎ）を乳幼児の字際の股間部の幅と同程度とすることにより、おむつ１着用時における股間部のフィット性を良好なものとすることができる。
【００７６】
また、図７の場合と異なり、着色領域６０が吸収性コア１１Ａと重複する部分を有さないように配置されていても良い。すなわち、左右方向において、着色領域６０の内側端６０ｅｉが、くびれ部１１ＡＣの輪郭１１ＡＣｅよりも外側に配置されていても良い。この場合、着色領域６０の輪郭（内側端６０ｅｉ）が吸収性コア１１Ａによって隠れてしまうことがないため、くびれ部１１ＡＣの両側の領域において、色が異なっている（つまり着色領域６０がある）領域が存在していることが認識されやすくなる。これにより、おむつ１着用時において、吸収性本体１０の出っ張りを目立ちにくくすることができる。
【００７７】
図８は、おむつ１のバックシート１３を構成するバックフィルム１３ａの一例について表す概略平面図である。同図８のバックフィルム１３ａには、複数の図柄が設けられている。具体的に、バックフィルム１３ａは、一対の着色領域６０，６０と、メイン図柄７１と、前側指示図柄７２と、後側指示図柄７３と、脚回り図柄７４とを有している。メイン図柄７１は、おむつ１（製品）に関連するキャラクター等を表示する図柄であり、前側中央部等、使用者（着用者）に視認されやすい位置に配置されている。前側指示図柄７２及び後側指示図柄７３は、それぞれバックフィルム１３ａの前側及び後側に設けられ、おむつ１の前後方向を指示する文字情報である。使用者は当該指示図柄７２，７３を確認することにより、おむつ１の前後を誤ることなく着用者（乳幼児）に着用させることができる。
【００７８】
脚回り図柄７４は、バックフィルム１３ａ（吸収性本体１０）の左右方向両側において上下方向（長手方向）に沿って設けられた一対の帯状の図柄であり、パンツ型状態のおむつ１において脚回り開口部ＬＨ（サイドフラップＳＦ）に沿うように配置されている。おむつ１着用時には、当該脚回り図柄７４が着用者の脚繰りに沿って配置されるため、使用者は、脚回り図柄７４の状態を視認することにより、脚回り開口部ＬＨ（サイドフラップＳＦ）が脚繰り部にフィットしているか否かを確認することができる。例えば、脚回り図柄７４の帯の幅や曲がり方について確認することで、サイドフラップＳＦが捲れたりずれたりしていないかを把握することができる。
【００７９】
そして、おむつ１では、着色領域６０の左右方向両側に脚回り図柄７４が設けられているため、おむつ１の着用時に、使用者の注意が脚回り図柄７４に向きやすくなる。したがって、股間部における吸収性本体１０の出っ張りが目立ちにくくなる。
【００８０】
また、上下方向（長手方向）において、脚回り図柄７４の長さは、着色領域６０の長さよりも長くなっている。これにより、おむつ１の着用時において、脚回り図柄７４が着用者の脚繰りに沿って広い範囲に亘って配置されるようになり、脚回り開口部ＬＨのフィット性がより強調される。したがって、股間部における吸収性本体１０の出っ張りをより目立ちにくくすることができる。
【００８１】
また、おむつ１において着色領域６０は、単一の色で着色されていることが望ましい。１種類の色で着色されていることにより、他の図柄７１〜７４と比較して着色領域６０自体が目立ちにくくなる。すなわち、メイン図柄７１や前側指示図柄７２等のようにそれ自体がある種の情報や意味を有している図柄とは異なり、着色領域６０自体は意味を持たず、影（シャドー）として機能しやすくなる。これにより、股間部における吸収性本体１０の出っ張りをより目立ちにくくすることができる。
【００８２】
また、着色領域６０は、所定の色で全体が塗り潰されていることが望ましい。単に全体が塗り潰されただけの領域であれば、他の図柄７１〜７４のように図柄として認識されにくいため、着用者の注意が向きにくく、影（シャドー）として機能しやすくなる。したがって、股間部における吸収性本体１０の出っ張りをより目立ちにくくすることができる。
【００８３】
また、着色領域６０の平均の明度は、前側指示図柄７２の平均の明度よりも低いことが望ましい。前側指示図柄７２は、おむつの前後を指示する情報であるため、使用者が一見して認識しやすいことが要求される。そのため、なるべく明度を高くして使用者に視認されやすくしておくことが望ましい。一方、着色領域６０は、使用者に図柄として認識される必要はなく、影（シャドー）としての機能のみを発揮できれば良い。そのため、なるべく明度を低くして、使用者に視認されにくくすることが望ましく、そのように構成することで、股間部における吸収性本体１０の出っ張りをより目立ちにくくすることができる。
【００８４】
なお、着色領域６０及び前側指示図柄７２の平均明度は、例えば、それぞれ測定対象部位から所定の大きさのサンプルを切り出し、市販の測色器を用いてサンプル中の複数個所（例えば２０箇所）の測色を行い、ＪＩＳ Ｚ 8729に規定されるＣＩＥ１９７６（L*a*b*）色空間に基づいて数値化したL＊値の平均から求めることができる。
【００８５】
＝＝＝その他の実施の形態＝＝＝
以上、本考案の実施形態について説明したが、上記の実施形態は、本考案の理解を容易にするためのものであり、本考案を限定して解釈するためのものではない。また、本考案は、その趣旨を逸脱することなく、変更や改良され得るとともに、本考案にはその等価物が含まれるのは言うまでもない。
【００８６】
上述の実施形態では、前側ベルト部２０の上端部に伸縮性シート２４が配置されていたが、このような構成に限られない。例えば、上下方向における前側ベルト部２０のいずれの位置に伸縮性シート２４を配置しても良い。また、後側ベルト部３０が伸縮性シートを有し、前側ベルト部２０が伸縮性シートを有していなくても良いし、前側ベルト部２０と後側ベルト部３０が共に伸縮性シート２４を有していても良い。また、前側ベルト部２０及び後側ベルト部３０のいずれにも伸縮性シート２４が設けられていなくても良いし、伸縮性シート２４の代わりに胴回り弾性部材２３，２４に相当する糸ゴム等の弾性部材が設けられていても良い。
【００８７】
また、上記の実施形態では、前側ベルト部２０と後側ベルト部３０が分離されて別部材であるおむつを例示したが、前側ベルト部２０と後側ベルト部３０の間に股下部が設けられ、前側ベルト部２０と後側ベルト部３０が連続した一部材であっても良い。
【符号の説明】
【００８８】
１  おむつ（パンツ型吸収性物品）、
２  おむつ（比較例）、
１０  吸収性本体、１０ｅｓ  端（左右方向）、
１１  吸収体、１１ｅｓ  端（左右方向）、
１１Ａ  吸収性コア、
１１ＡＣ  くびれ部、１１ＡＣｅ  輪郭、１１ＡＣｆ  前側上端、
１１Ｂ  コアラップシート、
１２  トップシート、１３  バックシート、
１３ａ  バックフィルム、１３ｂ  外装シート、１３ｂｆ  延出部、
１７  脚回り弾性部材、
２０  前側ベルト部（腹側胴回り部）、
２１  内層シート、２２  外層シート、
２３  胴回り弾性部材（前側胴回り弾性部材）、２４  伸縮性シート、
３０  後側ベルト部（背側胴回り部）、
３１  内層シート、３２  外層シート、
３３  胴回り弾性部材（後側胴回り弾性部材）、
４０  接合領域、
５０  防漏壁部、５０ｉｓ  内側端、
５１  防漏壁シート、５２  防漏壁弾性部材、
６０  着色領域、６０ｅｉ  内側端、６０ｅｏ  外側端、
７１  メイン図柄、７２  前側指示図柄、７３  後側指示図柄、７４  脚回り図柄、
ＢＨ  胴回り開口部、ＬＨ  脚回り開口部、
ＦＬ  所定位置、
ＳＦ  サイドフラップ
【図１】
0003217272.tif 000003
【図２】
0003217272.tif 000004
【図３】
0003217272.tif 000005
【図４】
0003217272.tif 000006
【図５】
0003217272.tif 000007
【図６】
0003217272.tif 000008
【図７】
0003217272.tif 000009
【図８】
0003217272.tif 000010